(57)【要約】【課題】移動部を露出位置に位置付けた状態であっても、記録媒体を容易に出し入れ自在とすることができる電子機器を提供する。【解決手段】電子機器としてのカーナビ１は機器本体２と表示ユニット３と駆動機構４とＣＤプレーヤ１０と第２駆動機構とＣＰＵを備えている。表示ユニット３は機器本体の内外を移動自在である。駆動機構４は表示ユニット３を収容位置と露出位置とに亘って移動する。ＣＤプレーヤ１０は機器本体２内に収容された初期位置と該初期位置よりも機器本体２外に突出した突出位置とに亘って移動自在である。第２駆動機構が初期位置と突出位置とに亘ってＣＤプレーヤ１０を移動する。ＣＰＵは表示ユニット３を露出位置に位置付ける際にＣＤプレーヤ１０を突出位置に位置付けるように駆動機構４と第２駆動機構を制御する。【選択図】図５
2007287201.tif 000002
【特許請求の範囲】
【請求項１】
機器本体と、
該機器本体の内外に移動自在となる移動部と、
前記機器本体内に収容する収容位置と、前記収容位置から前記機器本体外に露出した露出位置とに亘って前記移動部を移動する移送手段と、
前記機器本体内に設けられ該機器本体に記録媒体を出し入れする搬送ユニットを有した記録再生装置と、を備えた電子機器において、
少なくとも前記搬送ユニットを前記機器本体内寄りの初期位置と当該初期位置よりも前記機器本体外寄りの突出位置とに亘って移動する第２移送手段と、
前記移動部を前記露出位置に位置付けた状態で前記搬送ユニットを前記突出位置に位置付けるように、前記移送手段と前記第２移送手段とを制御する制御手段と、を備えたことを特徴とする電子機器。
【請求項２】
前記搬送ユニットは、前記移動部が前記露出位置に位置付けられる際に前記突出位置に位置付けられることを特徴とする請求項１記載の電子機器。
【請求項３】
前記搬送ユニットは、前記移動部が前記露出位置に位置付けられた状態で前記記録媒体を排出する際に前記突出位置に位置付けられることを特徴とする請求項１記載の電子機器。
【請求項４】
前記記録再生装置の前面には、前記記録媒体を通す記録媒体挿入口が設けられており、
前記第２移送手段によって、前記記録媒体挿入口が設けられた前記前面が前記初期位置と前記突出位置とに亘って、移動自在であることを特徴とする請求項１乃至請求項３のうちいずれか一項に記載の電子機器。
【請求項５】
前記記録再生装置の前面には、前記記録再生装置を操作するための操作部が設けられており、
前記第２移送手段によって、前記操作部が設けられた前記前面が前記初期位置と前記突出位置とに亘って、移動自在であることを特徴とする請求項１乃至請求項４のうちいずれか一項に記載の電子機器。
【請求項６】
前記第２移送手段が前記記録再生装置を移動させることによって前記搬送ユニットを前記初期位置と前記突出位置とに亘って移動させることを特徴とする請求項１乃至請求項５のうちいずれか一項に記載の電子機器。
【発明の詳細な説明】
【技術分野】
【０００１】
本発明は、例えば自動車等の移動体に装着されるとともに、機器本体に対して出し入れ自在に設けられた表示部などの移動部を備えた電子機器に関する。
【背景技術】
【０００２】
従来から、移動体としての自動車には、電子機器としてのナビゲーション装置（以下カーナビと呼び、例えば、特許文献１参照）が取り付けられることがある。カーナビは、箱状の本体部と、この本体部に出し入れ自在な表示部とを備えている。
【０００３】
本体部は、扁平な箱状に形成されており、前述した自動車のインストルメントパネルに取り付けられる。本体部は、ナビゲーションユニット、テレビチューナや、記録媒体記録再生装置としてのＤＶＤ（Digital Versatile Disk）プレーヤなどを収容している。表示部は、扁平な板状に形成されており、例えば、ＬＣＤ（Liquid Crystal Display）などの表示パネルを備えている。表示部は、表示パネルに前述したナビゲーションユニットからの情報、ＣＤプレーヤが再生した情報や、テレビチューナが受信したテレビ映像を表示する。ＣＤプレーヤは、本体部に設けられた挿入口を通して、該本体部の内外に記録媒体としてのＤＶＤを出し入れする搬送ユニットと、記録媒体の情報を再生する再生ユニットとを備えている。
【０００４】
また、前述した本体部は、前述した表示部を本体部に出し入れする駆動機構などを備えている。駆動機構は、表示パネルが下方に相対する状態で前述した表示部を本体部に収容した収容位置と、この表示部を表示パネルの表面に沿って本体部外に一旦移動して該本体部外に位置付けた暫定位置とに亘って、前記表示部を移動する。また、駆動機構は、前述した暫定位置から表示部の下端部を中心として回転して、表示パネルを使用者に対して相対させる視認位置へと前記表示部を回動する。
【０００５】
前述した特許文献１に示されたカーナビは、本体部内に表示部を収容した状態で、駆動機構が表示パネルの表面に沿って表示部を本体部外に一旦移動する。そして、駆動機構が、下端部を中心として表示部を回転して、表示パネルを前述した自動車の乗員などに相対させる。そして、前述したカーナビは、ナビゲーションユニットからの情報、ＣＤプレーヤが再生した情報や、テレビチューナが受信したテレビ映像を表示パネルに表示する。
【０００６】
また、特許文献１に示されたカーナビは、表示部を前述した暫定位置や視認位置等の本体部外から露出した露出位置に位置付けられた状態で、挿入口を通して記録媒体としてのＤＶＤを本体部に出し入れすることがある。
【特許文献１】特開２００４−３０６９０３号公報
【発明の開示】
【発明が解決しようとする課題】
【０００７】
前述した電子機器としてのカーナビは、表示部を露出位置に位置付けた状態で本体部に記録媒体としてのＤＶＤを出し入れすることがある。特に、本体部内からＤＶＤを排出した際には、露出位置に位置付けられた表示部が障害となって、ＤＶＤを取り出すことが困難となることがあった。このように、前述した特許文献１などに記載された従来のカーナビは、表示部を露出位置に位置付けたまま記録媒体を出し入れすることが困難となる傾向であった。
【０００８】
本発明の目的は、例えば、移動部を露出位置に位置付けた状態であっても、記録媒体を容易に出し入れ自在とすることができる電子機器を提供することにある。
【課題を解決するための手段】
【０００９】
前記課題を解決し目的を達成するために、請求項１に記載の本発明の電子機器は、機器本体と、該機器本体の内外に移動自在となる移動部と、前記機器本体内に収容する収容位置と、前記収容位置から前記機器本体外に露出した露出位置とに亘って前記移動部を移動する移送手段と、前記機器本体内に設けられ該機器本体に記録媒体を出し入れする搬送ユニットを有した記録再生装置と、を備えた電子機器において、少なくとも前記搬送ユニットを前記機器本体内寄りの初期位置と当該初期位置よりも前記機器本体外寄りの突出位置とに亘って移動する第２移送手段と、前記移動部を前記露出位置に位置付けた状態で前記搬送ユニットを前記突出位置に位置付けるように、前記移送手段と前記第２移送手段とを制御する制御手段と、を備えたことを特徴としている。
【発明を実施するための最良の形態】
【００１０】
以下、本発明の一実施形態にかかる電子機器を説明する。本発明の一実施形態にかかる電子機器は、機器本体から移動部を排出するのに連動して記録再生装置の少なくとも搬送ユニットを突出位置に位置付けることで、移動部が露出位置に位置付けられると、少なくとも搬送ユニットを突出位置に位置付けて、機器本体外に排出された記録媒体を機器本体からより突出した位置に位置付けるとともに、機器本体からより突出した位置から記録媒体を搬送ユニットによって機器本体内に移動し易くしている。こうすることで、露出位置に位置付けられた移動部に干渉することなく、記録媒体を機器本体に出し入れ自在としている。
【００１１】
また、前記搬送ユニットは、前記移動部が前記露出位置に位置付けられる際に前記突出位置に位置付けられても良い。この場合、露出位置に位置付けられた移動部に干渉することなく、記録媒体を機器本体に容易に出し入れ自在とすることができる。
【００１２】
さらに、前記搬送ユニットは、前記移動部が前記露出位置に位置付けられた状態で前記記録媒体を排出する際に前記突出位置に位置付けられても良い。この場合、排出された記録媒体を機器本体からより突出した位置に確実に位置付けることができる。
【００１３】
また、本実施形態の電子機器は、搬送ユニットに加えて記録媒体挿入口を移動自在としても良い。この場合、記録媒体挿入口も搬送ユニットとともに突出位置に位置付けられるので、機器本体外に排出された記録媒体を機器本体からより突出した位置に確実に位置付けることができるとともに、機器本体からより突出した位置から記録媒体を搬送ユニットによって機器本体内に確実に移動し易くなる。したがって、露出位置に位置付けられた移動部に干渉することなく、記録媒体を機器本体に確実に出し入れ自在としている。
【００１４】
さらに、本実施形態の電子機器は、搬送ユニットにくわえて操作部を移動自在としても良い。この場合、操作部も搬送ユニットとともに突出位置に位置付けられるので、露出位置に位置付けられた移動部に干渉することなく、操作部を容易に操作することができる。
【００１５】
また、前記第２移送手段が前記記録再生装置を移動させることによって前記搬送ユニットを前記初期位置と前記突出位置とに亘って移動させても良い。この場合、記録再生装置の搬送ユニットと他の機器との相対的な位置が変化しないので、記録再生装置に記録媒体を確実に出し入れすることができる。
【実施例】
【００１６】
本発明の一実施例を、図１ないし図８に基づいて説明する。電子機器としてのカーナビゲーション装置（以下、カーナビと呼ぶ）１は、図１などに示すように、移動体としての自動車のインストルメントパネル（以下、インパネと呼ぶ）Ｄなどに装着される。
【００１７】
カーナビ１は、図２ないし図５に示すように、機器本体２と、機器本体２内に出し入れ自在に設けられた移動部としての表示ユニット３と、機器本体２内に表示ユニット３を出し入れする移送手段としての駆動機構４（図６及び図７に示す）と、機器本体２内に収容された記録再生装置としてのＣＤプレーヤ１０と、機器本体２にＣＤプレーヤ１０を出し入れする第２移送手段としての第２駆動機構３０（図６及び図７に示す）と、記憶手段としてのＲＯＭ６（図８に示す）と、ＥＰＲＯＭ７（図８に示す）と、制御手段としてのＣＰＵ８（図８に示す）などを備えている。
【００１８】
機器本体２は、扁平な箱状に形成されている。機器本体２は、インパネＤに取り付けられる。機器本体２は、インパネＤに装着された際に、自動車の乗員室側に相対向する表面２ｂに開口部２ａを二つ設けている。図示例では、開口部２ａは、後述の厚み方向Ｚに沿って重ねられている。なお、以下、図２などに示す前述した自動車の車幅方向を矢印Ｘで示し、前述した自動車の前後方向を矢印Ｙで示し、前述した自動車の高さ方向を矢印Ｚで示す。更に、図示例では、カーナビ１の幅方向が矢印Ｘと一致し、カーナビ１の奥行き方向が矢印Ｙと一致し、カーナビ１の厚み方向が矢印Ｚと一致している。
【００１９】
また、機器本体２は、図８に示すナビゲーションユニット９と、テレビチューナ１１などを収容している。即ち、カーナビ１は、ナビゲーションユニット９と、テレビチューナ１１を更に備えている。
【００２０】
ナビゲーションユニット９は、ＧＰＳ（Global Positioning System：全地球測位システム）などを備えている。ナビゲーションユニット９は、ＧＰＳなどを用いて、自動車の位置を測定したり、自動車の移動方向などを算出する。そして、ナビゲーションユニット９は、自動車の位置や移動方向などを表示ユニット３の後述する表示パネル３ａに表示する。
【００２１】
テレビチューナ１１は、テレビ放送を受信して、受信して得た映像を表示ユニット３の表示パネル３ａに表示する。
【００２２】
表示ユニット３は、液晶ディスプレイ（Liquid Crystal Display）などからなる文字や画像などの情報を運転者などに向かって表示して視認させるための表示面としての表示パネル３ａと、この表示パネル３ａを収容する筐体部材３ｂなどを備えている。表示ユニット３は、前記機器本体２内に、表示パネル３ａが下方に相対した状態で収容される。表示ユニット３は、駆動機構４により機器本体２内外に移動自在である。表示ユニット３の表示パネル３ａは、前述したナビゲーションユニット９とテレビチューナ１１からの情報を表示する。
【００２３】
駆動機構４は、図６及び図７に示すように、固定部５と、スライド部１２と、回動部１５と、第１閉スイッチ１６（図８などに示す）と、第１開スイッチ１７（図８などに示す）と、エンコーダ１９（図８などに示す）を備えている。固定部５は、ラック２０を備えている。ラック２０は、上方の開口部２ａ内に位置付けられて、機器本体２内に収容され、かつ該機器本体２に固定されている。ラック２０は、直線状に形成されており、その長手方向は、前述した矢印Ｙ即ち自動車の前後方向と平行に配置されている。ラック２０は、機器本体２の矢印Ｙ方向の全長に亘って設けられている。
【００２４】
スライド部１２は、スライドシャーシ２１と、駆動源としてのモータ２２と、ウォーム歯車２３とを備えている。スライドシャーシ２１は、板金などで構成されており、表示ユニット３の機器本体２寄りの端部３ｃを矢印Ｘを中心として回転自在に支持している。モータ２２は、スライドシャーシ２１に固定されている。モータ２２の出力軸にはウォーム２４が取り付けられている。ウォーム歯車２３は、スライドシャーシ２１に矢印Ｘを中心として回転自在に支持されている。ウォーム歯車２３は、ウォーム２４とラック２０との双方と噛み合っている。
【００２５】
スライド部１２は、モータ２２が例えば正転駆動すると、ラック２０上をウォーム歯車２３が走行して、スライドシャーシ２１即ち表示ユニット３を機器本体２内から開口部２ａを通して機器本体２外に向かって移動する。スライド部１２は、モータ２２が例えば逆転駆動すると、ラック２０上をウォーム歯車２３が走行して、スライドシャーシ２１即ち表示ユニット３を機器本体２外から開口部２ａを通して機器本体２内に向かって移動する。
【００２６】
回動部１５は、モータ２５と、連結歯車２６と、回動軸用歯車２７とを備えている。モータ２５は、スライドシャーシ２１に固定されており、その出力軸にピニオン２８が取り付けられている。連結歯車２６は、スライドシャーシ２１に矢印Ｘを中心として回転自在に支持されており、ピニオン２８と噛み合っている。回動軸用歯車２７は、表示ユニット３の前述した端部３ｃに固定されている。回動軸用歯車２７は、連結歯車２６と噛み合っている。
【００２７】
前述した構成によって、回動部１５は、例えば、モータ２５が正転駆動すると、前述した端部３ｃを中心として、矢印Ｘ回りに表示ユニット３を回転する。回動部１５は、モータ２５が逆転駆動すると、前述した端部３ｃを中心として、矢印Ｘ回りに表示ユニット３を回転する。
【００２８】
第１閉スイッチ１６は、機器本体２内の上方の開口部２ａから離れた側の奥に配置されている。第１閉スイッチ１６は、機器本体２内に表示ユニット３が収容されて、該表示ユニット３が収容位置に位置付けられると、スライドシャーシ２１によって押圧されてオンとなる。第１閉スイッチ１６は、表示ユニット３が収容位置よりも前述した露出位置寄り即ち開口部２ａ寄りに位置付けられると、スライドシャーシ２１から押圧されずにオフとなる。第１閉スイッチ１６は、オン及びオフを示す情報をＣＰＵ８に向かって出力する。第１閉スイッチ１６は、表示ユニット３が収容位置に位置付けられているか否かを検出して、検出結果をＣＰＵ８に向かって出力する。
【００２９】
第１開スイッチ１７は、機器本体２内の上方の開口部２ａ寄りの箇所に配置されている。第１開スイッチ１７は、機器本体２外に表示ユニット３が位置付けられて、該表示ユニット３が暫定位置に位置付けられると、スライドシャーシ２１によって押圧されてオンとなる。第１開スイッチ１７は、表示ユニット３が暫定位置よりも前述した収容位置寄り即ち開口部２ａの奥寄りに位置付けられると、スライドシャーシ２１から押圧されずにオフとなる。第１開スイッチ１７は、オン及びオフを示す情報をＣＰＵ８に向かって出力する。第１開スイッチ１７は、表示ユニット３が暫定位置に位置付けられているか否かを検出して、検出結果をＣＰＵ８に向かって出力する。
【００３０】
エンコーダ１９は、表示ユニット３の前述した端部３ｃを中心した回転方向と回転角度に応じた情報を検出して、該検出した情報をＣＰＵ８に向かって出力する。
【００３１】
前述した構成によって、駆動機構４は、モータ２２が例えば正転駆動してウォーム歯車２３がラック２０上を走行して、スライドシャーシ２１則ち表示ユニット３を機器本体２内に収容された収容位置（図６に示す）から機器本体２外に排出された暫定位置（図７に示す）に向かって、矢印Ｙ即ち機器本体２の奥行き方向に沿って、表示ユニット３を移動する。則ち、駆動機構４は、モータ２２が例えば正転駆動すると、開口部２ａを通して、機器本体２内の表示ユニット３を機器本体２外に排出させる。
【００３２】
また、駆動機構４は、モータ２２が例えば逆転駆動すると、ウォーム歯車２３がラック２０上を走行して、スライドシャーシ２１則ち表示ユニット３を前述の暫定位置から収容位置に向かって、矢印Ｙ即ち機器本体２の奥行き方向に沿って移動する。則ち、駆動機構４は、モータ２２が例えば逆転駆動すると、開口部２ａを通して、機器本体２外の表示ユニット３を機器本体２内に収容する。こうして、駆動機構４は、機器本体２内に収容された収容位置と、機器本体２内から排出された暫定位置とに亘って、表示ユニット３などを移動する。
【００３３】
さらに、前述した構成によって、駆動機構４は、モータ２５が例えば正転駆動すると、機器本体２内から排出されて則ち収容位置から移動されて暫定位置（図７中に実線で示す）に位置付けられた表示ユニット３を、前述した端部３ｃを中心として回転して、表示パネル３ａが乗員室内の乗員などと相対する図７中に二点鎖線で示す視認位置に向かって移動させる。
【００３４】
また、駆動機構４は、モータ２５が例えば逆転駆動すると、前述した視認位置に位置付けられたに位置付けられた表示ユニット３を、前述した端部３ｃを中心として回転して、表示パネル３ａが下方に相対する前述した暫定位置に向かって移動させる。このように、駆動機構４は、表示ユニット３を立ち上げて又は立ち下げて、収容位置から移動されて位置する暫定位置と、表示パネル３ａに表示した情報を乗員に視認させる視認位置とに亘って、表示ユニット３などを変位する。つまり、駆動機構４は、収容位置と、暫定位置や視認位置等のような機器本体２内から露出した位置である露出位置とに亘って表示ユニット３を移動させる。即ち、暫定位置と、視認位置と、暫定位置と視認位置との間の位置とは、特許請求の範囲に記載された露出位置をなしている。
【００３５】
ＣＤプレーヤ１０は、記録媒体としての周知のＣＤ（Compact Disk）の情報を読み出してを再生する。ＣＤプレーヤ１０は、図６及び図７に示すように、筐体３１と、搬送ユニット３２と、再生ユニットと、連動機構と、を備えている。
【００３６】
筐体３１は、扁平な箱状に形成されている。筐体３１即ちＣＤプレーヤ１０は、開口部２ａを通して機器本体２に出し入れ自在となっている。筐体３１は、前述した自動車の乗員室側に相対向する前面３１ａが、機器本体２の自動車の乗員室側に相対向する表面２ｂと略面一となる初期位置（図６に示す）と、前記前面３１ａが暫定位置に位置付けられた表示ユニット３の端部３ｃと厚み方向Ｚに沿って並設する突出位置（図７に示す）と、に亘って移動自在である。勿論、初期位置は、暫定位置よりも機器本体２内寄りであり、暫定位置は、初期位置よりも機器本体２外寄りである。このように、ＣＤプレーヤ１０は、開口部２ａを通して機器本体２に突没自在自在となっている。
【００３７】
ＣＤプレーヤ１０の前面３１ａには、前述した記録媒体としてのＣＤを筐体３１内に出し入れする記録媒体挿入口３１ｂと、操作手段としての操作部１３とが設けられている。記録媒体挿入口３１ｂは、勿論、ＣＤプレーヤ１０の前面３１ａを貫通しており、内側にＣＤを通す。操作部１３は、複数の操作ボタン１４などを備えている。これらの操作ボタン１４則ち操作部１３は、ＣＤプレーヤ１０にＣＤを出し入れしたり、ＣＤの選曲などのＣＤプレーヤ１０を操作するために用いられる。
【００３８】
また、操作ボタン１４則ち操作部１３は、前述した表示パネル３ａに表示する情報を、ナビゲーションユニット９からの情報と、テレビチューナ１１からの情報とを切り換えるためなどに用いられる。また、操作ボタン１４則ち操作部１３は、機器本体２内から表示ユニット３を出し入れするためや、視認位置で、表示ユニット３の向きを調整するためなどに用いられる。このように、操作ボタン１４則ち操作部１３は、カーナビ１全体を操作
するためにも用いられる。
【００３９】
搬送ユニット３２は、筐体３１内に収容されており、図６及び図７に示すように、ユニット本体３３と、ローラアーム３４と、ディスクガイド３５と、を備えている。ユニット本体３３は、ゴムやダンパなどにより筐体３１に対し前述した幅方向Ｘと厚み方向Ｚと奥行き方向Ｙとに沿って移動自在に支持されている。ユニット本体３３は、記録媒体挿入口３１ｂの近傍に配されている。
【００４０】
ローラアーム３４は、板金などからなるアーム本体３６と、ローラ３７と、を備えている。
【００４１】
アーム本体３６は、筐体３１の幅方向Ｘの両端に設けられている。アーム本体３６は、一端を中心として回転自在にユニット本体３３に支持されている。アーム本体３６は、ローラ３７がディスクガイド３５に近づく方向に、図示しないばねなどにより付勢されている。
【００４２】
ローラ３７は、アーム本体３６の他端に回転自在に支持されている。ローラ３７の長手方向即ち回転中心は、筐体３１の幅方向Ｘに沿っている。ローラ３７は、図示しない駆動源としてモータなどにより回転される。
【００４３】
ディスクガイド３５は、長手方向が筐体３１の幅方向Ｘに沿った帯状に形成されている。ディスクガイド３５は、薄い板状に形成されている。ディスクガイド３５は、ユニット本体３３に取り付けられている。
【００４４】
搬送ユニット３２は、ディスクガイド３５とローラ３７との間にＣＤを挟んで、記録媒体挿入口３１ｂ内にＣＤを通して、該ＣＤを筐体３１即ち機器本体２に出し入れする。
【００４５】
再生ユニットは、筐体３１内に収容されており、クランプ部と、ピックアップ部と、を備えている。
【００４６】
クランプ部は、ターンテーブルと、クランプアームと、を備えている。ターンテーブルは、回転自在に設けられている。ターンテーブルは、スピンドルモータなどにより回転される。クランプアームは、板状に形成されているとともに、記録媒体挿入口３１ｂから離れた側の一端部を中心として回転自在に設けられている。
【００４７】
クランプアームは、一端部を中心として回転することで、他端部がターンテーブルに接離する。クランプ部は、記録媒体挿入口３１ｂを通して筐体３１即ち機器本体２内に挿入されたＣＤをターンテーブル上に位置付け、クランプアームの他端部がターンテーブルに近づいて、該ＣＤをターンテーブルとクランプアームとの間に挟んで、クランプする。
【００４８】
ピックアップ部は、再生手段としての光ピックアップと、ピックアップ移動部とを備えている。光ピックアップは、クランプ部にクランプされたＣＤから情報を読み出す。ピックアップ移動部は、クランプ部にクランプされたＣＤの径方向に沿って、光ピックアップを移動する。
【００４９】
ピックアップ部は、光ピックアップをＣＤの径方向に移動して、クランプ部にクランプされたＣＤの任意の位置から情報を読み出す。
【００５０】
再生ユニットは、クランプ部がＣＤをクランプして、ピックアップ部がＣＤから情報を読み出す。
【００５１】
連動機構は、クランプ部のクランプアームの他端部がターンテーブルに近づくと（即ちクランプ部でＣＤをクランプすると）同時に、搬送ユニット３２のローラ３７とディスクガイド３５とが離れるように、クランプ部と搬送ユニット３２の動作を連動させる。また、連動機構は、クランプ部のクランプアームの他端部がターンテーブルから離れると（即ちクランプ部のＣＤのクランプを解除すると）同時に、搬送ユニット３２のローラ３７とディスクガイド３５とが近づくように、クランプ部と搬送ユニット３２の動作を連動させる。このように、連動機構は、クランプ部のクランプ動作と搬送ユニット３２の動作を連動させて、クランプ部と搬送ユニット３２とのうち一方がＣＤを保持するように、これらのクランプ部と搬送ユニット３２の動作を連動させる。
【００５２】
第２駆動機構３０は、図６及び図７に示すように、ラック３８と、駆動源としてのモータ３９と、ウォーム歯車４０と、第２閉スイッチ４１（図８などに示す）と、第２開スイッチ４２（図８などに示す）とを備えている。ラック３８は、下方の開口部２ａ内に位置付けられて機器本体２内に収容され、かつ該機器本体２に固定されている。ラック３８は、直線状に形成されており、その長手方向は、前述した矢印Ｙ即ち自動車の前後方向と平行に配置されている。ラック３８は、機器本体２の矢印Ｙ方向の全長に亘って設けられている。
【００５３】
モータ３９は、筐体３１に固定されている。モータ３９の出力軸にはウォーム４３が取り付けられている。ウォーム歯車４０は、筐体３１に矢印Ｘを中心として回転自在に支持されている。ウォーム歯車４０は、ウォーム４３とラック３８との双方と噛み合っている。
【００５４】
第２駆動機構３０は、モータ３９が例えば正転駆動すると、ラック３８上をウォーム歯車４０が走行して、筐体３１即ちＣＤプレーヤ１０を機器本体２内から開口部２ａを通して機器本体２外に向かって移動する。第２駆動機構３０は、モータ３９が例えば逆転駆動すると、ラック３８上をウォーム歯車４０が走行して、筐体３１即ちＣＤプレーヤ１０を機器本体２内に向かって移動する。
【００５５】
第２閉スイッチ４１は、機器本体２内の下方の開口部２ａから離れた側の奥に配置されている。第２閉スイッチ４１は、機器本体２内のＣＤプレーヤ１０が初期位置に位置付けられると、筐体３１などによって押圧されてオンとなる。第２閉スイッチ４１は、ＣＤプレーヤ１０が初期位置よりも前述した突出位置寄り即ち開口部２ａ寄りに位置付けられると、筐体３１などから押圧されずにオフとなる。第２閉スイッチ４１は、オン及びオフを示す情報をＣＰＵ８に向かって出力する。第２閉スイッチ４１は、ＣＤプレーヤ１０が初期位置に位置付けられているか否かを検出して、検出結果をＣＰＵ８に向かって出力する。
【００５６】
第２開スイッチ４２は、機器本体２内の下方の開口部２ａ内の矢印Ｙ方向の中央に配置されている。第２開スイッチ４２は、機器本体２内のＣＤプレーヤ１０が突出位置に位置付けられると、筐体３１などによって押圧されてオンとなる。第２開スイッチ４２は、ＣＤプレーヤ１０が突出位置よりも前述した初期位置寄り即ち開口部２ａの奥寄りに位置付けられると、筐体３１などから押圧されずにオフとなる。第２開スイッチ４２は、オン及びオフを示す情報をＣＰＵ８に向かって出力する。第２開スイッチ４２は、ＣＤプレーヤ１０が突出位置に位置付けられているか否かを検出して、検出結果をＣＰＵ８に向かって出力する。
【００５７】
前述した構成によって、第２駆動機構３０は、モータ３９が例えば正転駆動してウォーム歯車４０がラック３８上を走行して、ＣＤプレーヤ１０即ち搬送ユニット３２を前述した初期位置（図６に示す）から突出位置（図７に示す）に向かって、矢印Ｙ即ち機器本体２の奥行き方向に沿って移動する。則ち、第２駆動機構３０は、モータ３９が例えば正転駆動すると、開口部２ａを通して、機器本体２内のＣＤプレーヤ１０即ち搬送ユニット３２を機器本体２外に突出させる。
【００５８】
また、第２駆動機構３０は、モータ３９が例えば逆転駆動すると、ウォーム歯車４０がラック３８上を走行して、ＣＤプレーヤ１０即ち搬送ユニット３２を前述の突出位置から初期位置に向かって、矢印Ｙ即ち機器本体２の奥行き方向に沿って移動する。則ち、第２駆動機構３０は、モータ３９が例えば逆転駆動すると、機器本体２外に突出したＣＤプレーヤ１０即ち搬送ユニット３２を機器本体２内に収容する。こうして、第２駆動機構３０は、機器本体２内寄りの初期位置と、機器本体２外寄りの突出位置とに亘って、ＣＤプレーヤ１０即ち搬送ユニット３２を移動する。
【００５９】
ＲＯＭ６は、カーナビ１を動作されるためのプログラムなどを記憶している。ＲＯＭ６は、ＣＰＵ８を後述するように動作するためのプログラムを記憶している。
【００６０】
ＥＰＲＯＭ７は、周知の不揮発性メモリであり、収容位置から露出位置に位置付けられた後、露出位置でＣＰＵ８によってエンコーダ１９からの情報に基づいて表示ユニット３の回転方向と回転角度が書き込まれる。
【００６１】
ＣＰＵ８は、特許請求の範囲に記した制御手段をなしており、図８に示すように、ナビゲーションユニット９と、ＣＤプレーヤ１０と、テレビチューナ１１と、前述した駆動機構４の各モータ２２，２５及びスイッチ１６，１７と、エンコーダ１９と、前述した第２駆動機構３０のモータ３９及びスイッチ４１，４２と、ＲＯＭ６と、ＥＰＲＯＭ７などと接続しており、これらを制御することにより、カーナビ１全体の制御をつかさどる。
【００６２】
ＣＰＵ８は、図２に示すように、機器本体２内に表示ユニット３が収容されて、該表示ユニット３が収容位置に位置付けられかつＣＤプレーヤ１０即ち搬送ユニット３２が初期位置に位置付けられた状態で、操作部１３の操作ボタン１４などから表示ユニット３を機器本体２外に排出して視認位置に位置付ける命令が入力すると、前記モータ２２，３９を正転駆動する。
【００６３】
そして、ＣＰＵ８は、図３に示すように、表示ユニット３を矢印Ｙに沿って移動して、開口部２ａを通して徐々に機器本体２外に排出するとともに、ＣＤプレーヤ１０即ち搬送ユニット３２を矢印Ｙに沿って移動して、開口部２ａを通して徐々に機器本体２外に突出させる。そして、ＣＰＵ８は、第１閉スイッチ１６がオフとなり第１開スイッチ１７がオンとなると、モータ２２を停止するとともに、第２閉スイッチ４１がオフとなり第２開スイッチ４２がオンとなると、モータ３９を停止する。こうして、ＣＰＵ８は、図４に示すように、表示ユニット３を露出位置である暫定位置に位置付け、かつＣＤプレーヤ１０即ち搬送ユニット３２を突出位置に位置付ける。
【００６４】
このように、ＣＰＵ８は、表示ユニット３を前記露出位置である暫定位置に位置付けた状態で搬送ユニット３２を前記突出位置に位置付けるように、駆動機構４，３０を制御する。即ち、ＣＰＵ８は、表示ユニット３を前記収容位置から前記露出位置である暫定位置に向かって移動するのに連動して、搬送ユニット３２を前記初期位置から前記突出位置に向かって移動するように、駆動機構４，３０を制御する。こうして、ＣＤプレーヤ１０の搬送ユニット３２は、表示ユニット３が前記露出位置に位置付けられる際に前記突出位置に位置付けられるとともに、第２駆動機構３０がＣＤプレーヤ１０を移動させることによって搬送ユニット３２を前記初期位置と前記突出位置とに亘って移動させる。
【００６５】
そして、ＣＰＵ８は、第１開スイッチ１７及び第２開スイッチ４２がオンとなってから所定時間経過した後、表示パネル３ａが乗員に相対するように、モータ２５を正転駆動して、表示ユニット３を立ち上げる。このように、ＣＰＵ８は、表示ユニット３を駆動機構４に露出位置である暫定位置から同じく露出位置である視認位置に向かって変位させるとともに、ＣＤプレーヤ１０即ち搬送ユニット３２を初期位置から突出位置に向かって変位させる。そして、ＣＰＵ８は、図５に示すように、表示ユニット３を視認位置に位置付ける。
【００６６】
また、ＣＰＵ８は、前述した表示ユニット３が視認位置に位置付けられかつＣＤプレーヤ１０即ち搬送ユニット３２が突出位置に位置付けられた状態で、操作部１３から該表示ユニット３の向きを変更する命令が入力すると、該命令通りにモータ２５を駆動して、表示ユニット３の向きを変更する。さらに、ＣＰＵ８は、エンコーダ１９からの情報に基づいて、表示ユニット３の向きを示す前述した回転方向と回転角度を示す情報をＥＰＲＯＭ７に書き込む。さらに、ＣＰＵ８は、操作ボタン１４からの命令にしたがって、ナビゲーションユニット９とテレビチューナ１１からの情報のうち表示ユニット３の表示パネル３ａに表示するものを適宜変更する。
【００６７】
また、ＣＰＵ８は、操作部１３の操作ボタン１４などからＣＤを出し入れする命令が入力すると、該命令通りに機器本体２内のＣＤプレーヤ１０にＣＤを出し入れする。
【００６８】
なお、ＣＰＵ８は、表示ユニット３を露出位置である暫定位置に位置付ける際に、ＣＤプレーヤ１０即ち搬送ユニット３２を突出位置に位置付けるように駆動機構４，３０を制御したが、これに変えて、まず、表示ユニット３のみを露出位置である視認位置に位置付けるように駆動機構４を制御し、表示ユニット３が露出位置である視認位置に位置付けられた状態で操作ボタン１４などからＣＤを排出する命令が入力された際にＣＤプレーヤ１０即ち搬送ユニット３２を突出位置に位置付けるように駆動機構３０を制御することもできる。
【００６９】
ＣＰＵ８は、表示ユニット３が視認位置に位置付けられかつＣＤプレーヤ１０即ち搬送ユニット３２が突出位置に位置付けられた状態で、操作部１３の操作ボタン１４などから表示ユニット３を機器本体２内に収容する命令（収容位置に移動せるための指令）が入力することがある。すると、ＣＰＵ８は、ＥＰＲＯＭ７に記憶された情報から表示ユニット３の向きを示す情報を読み出して、該表示ユニット３が暫定位置となるモータ２５の回転方向と回転数を算出する。そして、ＣＰＵ８は、エンコーダ１９からの情報に基づいて、算出した回転方向に回転数、モータ３９を駆動して、表示ユニット３を端部３ｃを中心として回転する。ＣＰＵ８は、算出した回転方向に回転数、モータ２５を駆動した後、該モータ２５を停止する。
【００７０】
そして、ＣＰＵ８は、第１開スイッチ１７がオフとなり第１閉スイッチ１６がオンとなるまで、モータ２２を逆転駆動して、表示ユニット３を暫定位置から収容位置に向かって移動して、機器本体２内に収容するとともに、第２開スイッチ４２がオフとなり第２閉スイッチ４１がオンとなるまで、モータ３９を逆転駆動して、ＣＤプレーヤ１０即ち搬送ユニット３２を突出位置から初期位置に向かって移動して、機器本体２内に収容する。
【００７１】
本実施例によれば、機器本体２から表示ユニット３を排出するのに連動してＣＤプレーヤ１０の少なくとも搬送ユニット３２を突出位置に位置付けている。このため、表示ユニット３が露出位置に位置付けられると、少なくとも搬送ユニット３２を突出位置に位置付けて、機器本体２外に排出されたＣＤを機器本体２からより突出した位置に位置付けることができるとともに、より突出した位置からＣＤを搬送ユニット３２によって機器本体２内に移動し易くなっている。したがって、露出位置に位置付けられた表示ユニット３に干渉することなく、ＣＤを機器本体２に出し入れ自在となっている。よって、カーナビ１は、示ユニット３を露出位置に位置付けた状態であっても、ＣＤを容易に出し入れ自在とすることができる。
【００７２】
また、搬送ユニット３２は、表示ユニット３が前記露出位置である暫定位置に位置付けられる際に前記突出位置に位置付けられるので、露出位置に位置付けられた表示ユニット３に干渉することなく、ＣＤを機器本体２に容易に出し入れ自在とすることができる。
【００７３】
搬送ユニット３２にくわえて記録媒体挿入口３１ｂを移動自在としている。このため、記録媒体挿入口３１ｂも搬送ユニット３２とともに突出位置に位置付けられるので、機器本体２外に排出されたＣＤを機器本体２からより突出した位置に確実に位置付けることができるとともに、機器本体２からより突出した位置からＣＤを搬送ユニット３２によって機器本体２内に確実に移動し易くなる。したがって、露出位置に位置付けられた表示ユニット３に干渉することなく、ＣＤを機器本体２に確実に出し入れ自在となる。
【００７４】
さらに、搬送ユニット３２にくわえて操作部１３を移動自在としている。この場合、操作部１３も搬送ユニット３２とともに突出位置に位置付けられるので、露出位置に位置付けられた表示ユニット３に干渉することなく、操作部１３を容易に操作することができる。
【００７５】
また、第２駆動機構３０がＣＤプレーヤ１０を移動させることによって搬送ユニット３２を前記初期位置と前記突出位置とに亘って移動させているので、ＣＤプレーヤ１０の搬送ユニット３２と再生ユニットなどの他の機器との相対的な位置が変化しないので、ＣＤプレーヤ１０にＣＤを確実に出し入れすることができる。
【００７６】
前述した実施例では、ＣＤプレーヤ１０全体を機器本体２に対して移動することで、搬送ユニット３２を初期位置と突出位置とに亘って移動させる。しかしながら、本発明では、ＣＤプレーヤ１０の搬送ユニット３２のみを初期位置と突出位置とに亘って移動させても良い。要するに、本発明では、ＣＤプレーヤ１０の少なくとも搬送ユニット３２を初期位置と突出位置とに亘って移動させれば良い。
【００７７】
さらに、前述のように、本発明では、ＣＤ２を出し入れするときのみ（特に、排出するときのみ）、ＣＤプレーヤ即ち搬送ユニット３２を前述した突出位置に位置付けても良い。即ち、表示ユニット３を移動しても、ＣＤを出し入れしない場合にはＣＤプレーヤ１０を初期位置に位置付けておき、ＣＤを出し入れする場合にＣＤプレーヤ１０を初期位置から突出位置に移動させ、ＣＤの出し入れが終了するとＣＤプレーヤ１０を突出位置から初期位置に移動させても良い。
【００７８】
これにより、搬送ユニット３２は、表示ユニット３が前記露出位置である視認位置に位置付けられた状態でＣＤを排出する際に前記突出位置に位置付けられるので、排出されたＣＤを機器本体２からより突出した位置に確実に位置付けることができる。
【００７９】
前述した実施例では、ＣＤプレーヤ１０を示している。しかしながら、本発明では、ＣＤ以外の種々の記録媒体の情報を再生したり記録する記録再生装置を用いても良い。また、本発明では、表示ユニット３以外の種々の物品を機器本体２に出し入れしても良い。
【００８０】
前述した実施例によれば、以下のカーナビ１が得られる。
【００８１】
（付記）  機器本体２と、
該機器本体２の内外に移動自在となる表示ユニット３と、
前記機器本体２内に収容する収容位置と、前記収容位置から前記機器本体２外に露出した露出位置とに亘って前記表示ユニット３を移動する駆動機構４と、
前記機器本体２内に設けられ該機器本体２にＣＤを出し入れする搬送ユニット３２を有したＣＤプレーヤ１０と、を備えたカーナビ１において、
少なくとも前記搬送ユニット３２を前記機器本体２内寄りの初期位置と当該初期位置よりも前記機器本体２外寄りの突出位置とに亘って移動する第２駆動機構３０と、
前記表示ユニット３を前記露出位置に位置付けた状態で前記搬送ユニット３２を前記突出位置に位置付けるように、前記駆動機構４，３０を制御するＣＰＵ８と、を備えたことを特徴とするカーナビ１。
【００８２】
付記によれば、機器本体２から表示ユニット３を排出するのに連動してＣＤプレーヤ１０の少なくとも搬送ユニット３２を突出位置に位置付けている。このため、表示ユニット３が露出位置に位置付けられると、少なくとも搬送ユニット３２を突出位置に位置付けて、機器本体２外に排出されたＣＤを機器本体２からより突出した位置に位置付けることができるとともに、より突出した位置からＣＤを搬送ユニット３２によって機器本体２内に移動し易くなっている。したがって、露出位置に位置付けられた表示ユニット３に干渉することなく、ＣＤを機器本体２に出し入れ自在となっている。
【００８３】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００８４】
【図１】本発明の一実施例にかかる電子機器としてのカーナビが自動車のインパネに取り付けられた状態を示す斜視図である。
【図２】図１に示されたカーナビの表示ユニットが収容位置に位置付けられて搬送ユニットが初期位置に位置付けられた状態を示す斜視図である。
【図３】図２に示された表示ユニット及び搬送ユニットが筐体内から徐々に排出される状態を示す斜視図である。
【図４】図３に示された表示ユニットが露出位置に位置付けられて搬送ユニットが突出位置に位置付けられた状態を示す斜視図である。
【図５】図４に示された表示ユニットが露出位置から視認位置に変位した状態を示す斜視図である。
【図６】図２に示されたカーナビの要部の断面図である。
【図７】図４に示されたカーナビの要部の断面図である。
【図８】図１に示されたカーナビの主要な構成を示すブロック図である。
【符号の説明】
【００８５】
１  カーナビ（電子機器）
２  機器本体
３  表示ユニット（移動部）
４  駆動機構（移送手段）
８  ＣＰＵ（制御手段）
１０  ＣＤプレーヤ（記録再生装置）
１３  操作部（操作手段）
３０  第２駆動機構（第２移送手段）
３１ａ  前面
３１ｂ  記録媒体挿入口
３２  搬送ユニット
【図１】
2007287201.tif 000003
【図２】
2007287201.tif 000004
【図３】
2007287201.tif 000005
【図４】
2007287201.tif 000006
【図５】
2007287201.tif 000007
【図６】
2007287201.tif 000008
【図７】
2007287201.tif 000009
【図８】
2007287201.tif 000010